(57)【要約】【課題】バックライトモジュールの提供。【解決手段】本発明のバックライトモジュールは、少なくとも、導光板、反射片、光学薄膜、及び、ランプ、からなり、導光板の出光面に複数の集光素子を設置し、光学薄膜の一表面に複数の棒状のマイクロ導光体を設置し、各マイクロ導光体は、複数の頂峰を有し、マイクロ導光体の頂峰は高低が異なる状態で、高峰、或いは、低峰の一者は、それぞれ、左右連続湾曲、或いは、高度が上下連続起伏の設計であり、これにより、光束は全てが直線性の規則状ではなく、連続湾曲形状の光束を出力して、液晶パネル中の薄膜トランジスタ、及び、カラーフィルターを通過した後、ディスプレイ時の干渉紋の形成現象を防止し、出力光源全体の輝度を向上する。【選択図】    図１
2008130533.tif 000002
【特許請求の範囲】
【請求項１】
バックライトモジュールであって、少なくとも、
少なくとも一つの入光面、及び、反射面、及び、出光面を有し、前記出光面、或いは、前記反射面の表面上に複数の基礎形態を有して、二弧線が交錯して構成される幾何学形の集光素子を設置する導光板と、
前記導光板の反射面外に配置される反射片と、
前記導光板の上方に設置され、且つ、一表面に複数のマイクロ導光体を形成する光学薄膜と、
前記導光板の入光面外に配置されるランプと、
からなり、その特徴は、前記マイクロ導光体と前記光学薄膜の本体は同一材質で、且つ、各マイクロ導光体は二個、或いは、二個以上の頂峰を有し、前記頂峰は高低が異なり、低峰と高峰を有することを特徴とするバックライトモジュール。
【請求項２】
前記マイクロ導光体は前記光学薄膜の本体と異なる材質であることを特徴とする請求項１に記載のバックライトモジュール。
【請求項３】
前記導光板上の集光素子は間隔を隔てた三角柱状であることを特徴とする請求項１に記載のバックライトモジュール。
【請求項４】
前記集光素子は突出、或いは、凹入することを特徴とする請求項１、或いは、３に記載のバックライトモジュール。
【請求項５】
前記導光板上に上拡散膜を設置することを特徴とする請求項１に記載のバックライトモジュール。
【請求項６】
前記マイクロ導光体の低峰は、左右連続湾曲の形態であることを特徴とする請求項１、２、或いは、３に記載のバックライトモジュール。
【請求項７】
前記マイクロ導光体の高峰は、左右連続湾曲の形態であることを特徴とする請求項１、２、或いは、３に記載のバックライトモジュール。
【請求項８】
前記マイクロ導光体の低峰の高度は、上下連続起伏の形態であることを特徴とする請求項１、２、或いは、３に記載のバックライトモジュール。
【請求項９】
前記マイクロ導光体の高峰の高度は、上下連続起伏の形態ことを特徴とする請求項１、２、或いは、３に記載のバックライトモジュール。
【請求項１０】
前記マイクロ導光体の低峰は、同時に、左右連続湾曲を呈し、且つ、高度は上下連続起伏の形態であることを特徴とする請求項１、２、或いは、３に記載のバックライトモジュール。
【請求項１１】
前記マイクロ導光体の高峰は、同時に、左右連続湾曲を呈し、且つ、高度は上下連続起伏の形態であることを特徴とする請求項１、２、或いは、３に記載のバックライトモジュール。
【請求項１２】
前記マイクロ導光体の高峰、及び、低峰は、同時に、左右連続湾曲を呈し、且つ、高度は上下連続起伏の形態であることを特徴とする請求項１、２、或いは、３に記載のバックライトモジュール。
【請求項１３】
バックライトモジュールであって、少なくとも、
少なくとも一つの入光面、及び、反射面、及び、出光面を有し、前記出光面、或いは、前記反射面の表面上に複数の基礎形態を有して、二弧線が交錯して構成される幾何学形の集光素子を設置する導光板と、
前記導光板の反射面外に配置される反射片と、
前記導光板の上方に設置され、且つ、一表面に複数のマイクロ導光体を形成する光学薄膜と、
前記導光板の入光面外に配置されるランプと、
からなり、その特徴は、前記マイクロ導光体と前記光学薄膜の本体は同一材質で、且つ、各マイクロ導光体は二個、或いは、二個以上の頂峰を有し、前記頂峰は高低が相同であることを特徴とするバックライトモジュール。
【請求項１４】
前記マイクロ導光体は、前記光学薄膜の本体と異なる材質であることを特徴とする請求項１３に記載のバックライトモジュール。
【請求項１５】
前記導光板上の集光素子は間隔を隔てた三角柱状であることを特徴とする請求項１３に記載のバックライトモジュール。
【請求項１６】
前記集光素子は突出、或いは、凹入することを特徴とする請求項１３、或いは、１５に記載のバックライトモジュール。
【請求項１７】
前記導光板上に上拡散膜を設置することを特徴とする請求項１３に記載のバックライトモジュール。
【請求項１８】
前記マイクロ光導体の一部の頂峰は左右連続湾曲を呈し、一部の頂峰は直線の形態であることを特徴とする請求項１３、１４、或いは、１５に記載のバックライトモジュール。
【請求項１９】
前記マイクロ光導体の各頂峰は皆左右連続湾曲形態であることを特徴とする請求項１３、１４、或いは、１５に記載のバックライトモジュール。
【請求項２０】
前記マイクロ光導体の各頂峰の高度は上下連続起伏の形態であることを特徴とする請求項１３、１４、或いは、１５に記載のバックライトモジュール。
【請求項２１】
前記マイクロ光導体の一部の頂峰は上下連続起伏を呈し、一部の頂峰の高度は均一形態であることを特徴とする請求項１３、１４、或いは、１５に記載のバックライトモジュール。
【請求項２２】
前記マイクロ光導体の各頂峰は左右連続湾曲を呈し、且つ、高度は全部、上下連続起伏形態であることを特徴とする請求項１３、１４、或いは、１５に記載のバックライトモジュール。
【請求項２３】
前記マイクロ光導体の一部の頂峰は同時に、左右連続湾曲を呈し、且つ、高度は全部上下連続起伏の形態を呈し、一部の頂峰は直線形態であることを特徴とする請求項１３、１４、或いは、１５に記載のバックライトモジュール。
【請求項２４】
前記マイクロ光導体の一部の頂峰は左右連続湾曲を呈し、一部の頂峰は上下連続起伏の形態であることを特徴とする請求項１３、１４、或いは、１５に記載のバックライトモジュール。
【発明の詳細な説明】
【技術分野】
【０００１】
本発明はバックライトモジュールに関し、詳細には、導光板の出光面上に複数の集光素子を設置し、光学薄膜上にマイクロ光導体を設置するモジュールに関する。
【背景技術】
【０００２】
公知のバックライトモジュールが出力する光源は線的光源を面状の光源に転換するが、光源全体はプリズムのプリズム柱体の作用を受けて、規則性を有する直線光束をなす。液晶パネル中の薄膜トランジスタ（TFT）、及び、カラーフィルター（CF）は極細のマトリクス配置で、故に、規則性を有する直線の光束は、一旦、薄膜トランジスタ、及び、カラーフィルター中の素子間のギャップを再通過すると、通過した光束は回折（diffraction）を生成し、干渉紋を液晶パネル上に形成し、最終的には、液晶パネル表示時の機能を破壊する。
【０００３】
干渉紋の形成現象は、一般のバックライトモジュール工場で組み立て完成時に発生したかどうかを知ることができないので、液晶パネル工場で組み立て後、液晶パネルのディスプレイを起動した時にやっと分かる。よって、バックライトモジュール工場と液晶パネル工場の双方の業者にとって克服が望まれる問題である。
【発明の開示】
【発明が解決しようとする課題】
【０００４】
上述の問題を解決するようなバックライトモジュールを提供する。
【課題を解決するための手段】
【０００５】
本発明のバックライトモジュールは、少なくとも、導光板、反射片、光学薄膜、及び、ランプ、からなり、導光板は、少なくとも一つの入光面、反射面、及び、出光面を有し、出光面、或いは、反射面に複数の集光素子を設置し、且つ、集光素子の各縦向け断面は三角形で、光学薄膜の一表面上に、複数の棒状のマイクロ導光体を設置し、各マイクロ導光体は、二個、或いは、それ以上の頂峰を有し、マイクロ導光体の頂峰は高低が異なる状態で、高峰、或いは、低峰の一者は、それぞれ、左右連続湾曲、或いは、高度が上下連続起伏の設計であり、これにより、光束は全てが直線性の規則状ではなく、連続湾曲形状の光束を出力して、液晶パネル中の薄膜トランジスタ、及び、カラーフィルターを通過した後、ディスプレイ時の干渉紋の形成現象を防止し、出力光源全体の輝度を向上する。
【発明の効果】
【０００６】
本発明により、光束が液晶パネル中の薄膜トランジスタ、及び、カラーフィルターを通過した後のディスプレイ時の干渉紋の形成現象を防止し、出力光源全体の輝度を向上する。
【発明を実施するための最良の形態】
【０００７】
図１、２で示されるように、本発明のバックライトモジュールAは、少なくとも導光板５と、反射片６、光学薄膜７、上拡散膜８、及び、ランプL、からなる。
【０００８】
導光板５は少なくとも入光面５１、反射面５２、及び、出光面５３を有し、出光面５３は、複数の集光素子５３１を有し、集光素子５３１の基礎形態は、二弧線を交錯して構成した幾何学形で、且つ、集光素子５３１の各縦向け断面は三角形で、導光板５の一面から突出するか凹入し（図では導光板５の出光面５３から突出するものを例とする）、且つ、集光素子５３１の長軸はランプL方向で、本発明の導光板５は実施時、図３で示されるように、集光素子５３１が間隔を開けた三角柱状で、導光板５の出光面５３から突出するか、凹入する。
【０００９】
反射片６は、導光板５の反射面５２外部に設置され、導光板５から露出した光源が反射して、導光板５に戻る。
【００１０】
光学薄膜７は、好ましい透過材質からなり、その表面に複数の棒状のマイクロ導光体７１を設置し、マイクロ導光体７１は光学薄膜７の本体と同一材質か、或いは、光学薄膜７の本体と異なる材質である。各マイクロ導光体７１は二個、或いは、二個以上の頂峰７１１を有し、且つマイクロ導光体７１の頂峰７１１は高低が異なる状態で、低峰７１１ａ、及び、高峰７１１ｂを形成する（本発明は二個の頂峰を例とする）。光学薄膜７は前述の導光体５の出光面５３外に設置され、実施時、光学薄膜７はマイクロ導光体７１の表面が導光板５の出光面５３に面し、光学薄膜７のマイクロ導光体７１は導光板５の集光素子５３１の形成方向に非平行の方式で配置される。
【００１１】
上拡散薄膜８は、光学薄膜７の上方に設置され、バックライトモジュールA全体を保護する作用を有する。
【００１２】
ランプLは、冷陰極管、或いは、発光ダイオードで、ランプLが発光ダイオードで実施される時、導光板５上の集光素子５３１の長軸はランプL方向で、図４、図５で示されるように、集光素子５３１は、ランプLから遠いほど密になるように設置される。
【００１３】
実施時、図２で示されるように、ランプLの光束が導光板５の入光面５１から射入する時、導光板５の出光面５３の集光素子５３１により、導光板５の集光素子を経る光束は過度な一致性を有さず、光束は、光学薄膜７を経由した後、全部が直線の規則状でなく、連続湾曲形状で出力され、液晶パネルディスプレイ時、干渉紋を生成せず、出力光源全体の輝度を向上させる。
【００１４】
本発明の光学薄膜７の実施時、各マイクロ導光体７１の頂峰７１１の高度が高低が異なり、低峰７１１ａと高峰７１１ｂを形成し、図６〜図９で示されるように、各マイクロ導光体７１の低峰７１１ａ、或いは、高峰７１１ｂの一者は、左右連続湾曲形態を呈し、これにより、光源が光学薄膜７を通過する時、低峰７１１ａ（或いは、高峰７１１ｂ）の左右連続湾曲により、マイクロ導光体７１を経て集光される光束は単純な直線ではなく、各光束は湾曲の変化を有し、光源は過度に規則化されず、光源が液晶パネル中の薄膜トランジスタ、及び、カラーフィルターを通過する時、液晶パネルディスプレイ時に干渉紋を生成しない。
【００１５】
図１０〜図１３で示されるように、本発明の実施時、各マイクロ導光体７１の低峰７１１ａ、或いは、高峰７１１ｂの一者は、高度が上下連続起伏を呈し、これにより、光源が光学薄膜７を通過する時、低峰７１１ａ（或いは、高峰７１１ｂ）の上下連続起伏で、同様に、光束は単純な直線ではなく、光源が液晶パネル中の薄膜トランジスタ、及び、カラーフィルターを通過する時、液晶パネルディスプレイ時に干渉紋を生成しない。
【００１６】
図１４〜図１７で示されるように、本発明の実施時、各マイクロ導光体７１の低峰７１１ａ、或いは、高峰７１１ｂの一者は、同時に、左右連続湾曲を呈し、且つ、高度が上下連続起伏を呈し、或いは、図１８、図１９で示されるように、各マイクロ導光体７１の低峰７１１ａ、或いは、高峰７１１ｂの二者が、左右連続湾曲を呈し、且つ、高度が上下連続起伏を呈し、これにより、光源が光学薄膜７を通過する時、低峰７１１ａ（或いは、高峰７１１ｂ）は左右連続湾曲で、且つ、高度が、上下連続起伏により、同様に、集光される光束は単純な直線ではなく、光源が液晶パネル中の薄膜トランジスタ、及び、カラーフィルターを通過する時、液晶パネルディスプレイ時に干渉紋を生成しない。
【００１７】
図２０、及び、図２１で示されるように、本発明の実施時、光学薄膜９の一表面９１は複数の棒状マイクロ導光体９２を形成し、各マイクロ導光体９２は、二個、或いは、二個以上の頂峰９２１を有し、且つ、各マイクロ導光体９２の頂峰９２１は相同の高度であると共に、全部の頂峰９２１、或いは、一部の頂峰９２１の形態が変化を有し（本実施例は3個の頂峰を例とする）、マイクロ導光体９２中央の頂峰９２１１は左右連続湾曲の設計を呈し、二側の頂峰９２１２、９２１３は、直線式の設計であり、これにより、光源が光学薄膜９を通過する時、マイクロ導光体９２中央の頂峰９２１１が左右連続湾曲で、光束は単純な直線ではなく、光源が液晶パネル中の薄膜トランジスタ、及び、カラーフィルターを通過する時、液晶パネルディスプレイ時に干渉紋を生成しない。
【００１８】
図２２、及び、図２３で示されるように、本発明の実施時、光学薄膜９の各マイクロ導光体９２の全部の頂峰９２１１、９２１２、９２１３は皆左右連続湾曲の形態を呈し、これにより、作用した光束は変化を有し、光源が液晶パネル中の薄膜トランジスタ、及び、カラーフィルターを通過する時、液晶パネルディスプレイ時に干渉紋を生成しない。
【００１９】
図２４、及び、図２５で示されるように、光学薄膜９の実施時、各マイクロ導光体９２の二側の頂峰９２１２、９２１３は左右連続湾曲の形態を呈し、中央に位置する頂峰９２１１は直線形態であり、これにより、同様に、作用した光束は変化を有し、光源が液晶パネル中の薄膜トランジスタ、及び、カラーフィルターを通過する時、液晶パネルディスプレイ時に干渉紋を生成しない。
【００２０】
図２６、及び、図２７で示されるように、本発明の光学薄膜９の実施時、各マイクロ導光体９２の頂峰９２１１、９２１２、９２１３の高度は全部上下連続起伏の形態を呈し、これにより、光源が光学薄膜９を通過する時、頂峰９２１１、９２１２、９２１３の高度の上下連続起伏により、光束が変化を有し、光源が液晶パネル中の薄膜トランジスタ、及び、カラーフィルターを通過する時、液晶パネルディスプレイ時に干渉紋を生成しない。
【００２１】
図２８、及び、図２９で示されるように、本発明の光学薄膜９の実施時、各マイクロ導光体９２の二側の頂峰９２１２、９２１３の高度は上下連続起伏の形態を呈し、中央に位置する頂峰９２１１高度は均一であり、これにより、光源が光学薄膜９を通過する時、マイクロ導光体９２の作用後の光束は変化性を有し、光源が液晶パネル中の薄膜トランジスタ、及び、カラーフィルターを通過する時、液晶パネルディスプレイ時に干渉紋を生成しない。
【００２２】
図３０、及び、図３１で示されるように、本発明の光学薄膜９の実施時、各マイクロ導光体９２の頂峰９２１１の高度は上下連続起伏の形態を呈し、二側の頂峰９２１２、９２１３の高度は均一で、
頂峰９２１１の高度が上下連続起伏であることにより、マイクロ導光体９２の作用後の光束が変化を有し、光源が液晶パネル中の薄膜トランジスタ、及び、カラーフィルターを通過する時、液晶パネルディスプレイ時に干渉紋を生成しない。
【００２３】
図３２、及び、図３３で示されるように、本発明の光学薄膜９の実施時、各マイクロ導光体９２の頂峰９２１１、９２１２、９２１３は、同時に、左右連続湾曲を呈し、且つ、高度は上下連続起伏の形態を呈し、これにより、マイクロ導光体９２の作用後の光束が変化を有し、光源が液晶パネル中の薄膜トランジスタ、及び、カラーフィルターを通過する時、液晶パネルディスプレイ時に干渉紋を生成しない。
【００２４】
図３４、及び、図３５で示されるように、本発明の光学薄膜９の実施時、各マイクロ導光体９２の頂峰９２１１は、同時に、左右連続湾曲を呈し、且つ、高度は上下連続起伏の形態を呈し、二側の頂峰９２１２、９２１３は直線式形態で、これにより、マイクロ導光体９２の作用後の光束が変化を有し、光源が液晶パネル中の薄膜トランジスタ、及び、カラーフィルターを通過する時、液晶パネルディスプレイ時に干渉紋を生成しない。
【００２５】
図３６、及び、図３７で示されるように、本発明の光学薄膜９の実施時、各マイクロ導光体９２の頂峰９２１１は直線式の形態で、二側の頂峰９２１２、９２１３は、同時に、左右連続湾曲を呈し、且つ、高度は上下連続起伏の形態を呈し、これにより、マイクロ導光体３２の作用後の光束が変化を有し、光源が液晶パネル中の薄膜トランジスタ、及び、カラーフィルターを通過する時、液晶パネルディスプレイ時に干渉紋を生成しない。
【００２６】
本発明は、導光板５の出光面５３上に、導光板５の出光面５３から突出、或いは、凹入する集光素子５３１を設置し、マイクロ導光体７１の光学薄膜７を合わせて設置することにより、導光板５の集光素子５３１を経る光束は過度な一致性を有さず、光源が液晶パネル中の薄膜トランジスタ、及び、カラーフィルターを通過する時、液晶パネルディスプレイ時に干渉紋を生成しない。
【００２７】
本発明の実施時、導光板５の反射面５２上に集光素子を設置し、上述の光学薄膜を合わせて使用することにより、同様に、導光板５の集光素子を経る光束は過度に一致せず、光源が液晶パネル中の薄膜トランジスタ、及び、カラーフィルターを通過する時、液晶パネルディスプレイ時に干渉紋を生成しない。
【図面の簡単な説明】
【００２８】
【図１】本発明のバックライトモジュールの立体分解図である。
【図２】本発明のバックライトモジュールの側視図である。
【図３】本発明のバックライトモジュールの導光板のもう一つの実施例の立体分解図である。
【図４】本発明の導光板上の集光素子の分布図である。
【図５】本発明の導光板上の集光素子の分布図である。
【図６】本発明の光学薄膜の第一実施例の立体図である。
【図７】図６の上視、及び、側視図である。
【図８】本発明の光学薄膜の第二実施例の立体図である。
【図９】図８の上視、及び、側視図である。
【図１０】本発明の光学薄膜の第三実施例の立体図である。
【図１１】図１０の上視、及び、側視図である。
【図１２】本発明の光学薄膜の第四実施例の立体図である。
【図１３】図１２の上視、及び、側視図である。
【図１４】本発明の光学薄膜の第五実施例の立体図である。
【図１５】図１４の上視、及び、側視図である。
【図１６】本発明の光学薄膜の第六実施例の立体図である。
【図１７】図１６の上視、及び、側視図である。
【図１８】本発明の光学薄膜の第七実施例の立体図である。
【図１９】図１８の上視、及び、側視図である。
【図２０】本発明の光学薄膜の第八実施例の立体図である。
【図２１】図２０の上視、及び、側視図である。
【図２２】本発明の光学薄膜の第九実施例の立体図である。
【図２３】図２２の上視、及び、側視図である。
【図２４】本発明の光学薄膜の第十実施例の立体図である。
【図２５】図２４の上視、及び、側視図である。
【図２６】本発明の光学薄膜の第十一実施例の立体図である。
【図２７】図２６の上視、及び、側視図である。
【図２８】本発明の光学薄膜の第十二実施例の立体図である。
【図２９】図２８の上視、及び、側視図である。
【図３０】本発明の光学薄膜の第十三実施例の立体図である。
【図３１】図３０の上視、及び、側視図である。
【図３２】本発明の光学薄膜の第十四実施例の立体図である。
【図３３】図３２の上視、及び、側視図である。
【図３４】本発明の光学薄膜の第十五実施例の立体図である。
【図３５】図３４の上視、及び、側視図である。
【図３６】本発明の光学薄膜の第十六実施例の立体図である。
【図３７】図３６の上視、及び、側視図である。
【符号の説明】
【００２９】
Ａバックライトモジュール      
５導光板      
５１入光面
５２反射面    
５３出光面
５３１集光素子    
６反射片
７光学薄膜    
７１マイクロ導光体
７１１頂峰
７１１ａ低峰
７１１ｂ高峰
８上拡散膜片
９光学薄膜      
９１表面        
９２マイクロ導光体
９２１頂峰      
９２１１、９２１２、９２１３頂峰
Ｌランプ
【図１】
2008130533.tif 000003
【図２】
2008130533.tif 000004
【図３】
2008130533.tif 000005
【図４】
2008130533.tif 000006
【図５】
2008130533.tif 000007
【図６】
2008130533.tif 000008
【図７】
2008130533.tif 000009
【図８】
2008130533.tif 000010
【図９】
2008130533.tif 000011
【図１０】
2008130533.tif 000012
【図１１】
2008130533.tif 000013
【図１２】
2008130533.tif 000014
【図１３】
2008130533.tif 000015
【図１４】
2008130533.tif 000016
【図１５】
2008130533.tif 000017
【図１６】
2008130533.tif 000018
【図１７】
2008130533.tif 000019
【図１８】
2008130533.tif 000020
【図１９】
2008130533.tif 000021
【図２０】
2008130533.tif 000022
【図２１】
2008130533.tif 000023
【図２２】
2008130533.tif 000024
【図２３】
2008130533.tif 000025
【図２４】
2008130533.tif 000026
【図２５】
2008130533.tif 000027
【図２６】
2008130533.tif 000028
【図２７】
2008130533.tif 000029
【図２８】
2008130533.tif 000030
【図２９】
2008130533.tif 000031
【図３０】
2008130533.tif 000032
【図３１】
2008130533.tif 000033
【図３２】
2008130533.tif 000034
【図３３】
2008130533.tif 000035
【図３４】
2008130533.tif 000036
【図３５】
2008130533.tif 000037
【図３６】
2008130533.tif 000038
【図３７】
2008130533.tif 000039